(57)【要約】      （修正有）【課題】ビデオウォールとビデオ切替器、又は、ビデオ切替器と複数のＡＶソース機器との配線に関し、ビデオウォールを迅速に取り付けるためのビデオアダプタ及びその方法を提供する。【解決手段】ビデオウォールを迅速に取り付けるためのビデオアダプタ１０２は、マイクロ制御ユニット１０２５と、マイクロ制御ユニットに連結されて、ビデオウォールにおける各ディスプレイ１０３のコードを設定するとともに、マイクロ制御ユニットへ伝送するコード生成ユニット１０２６と、ディスプレイに連結される第１コネクタ１０２２と、ＡＶケーブル１０１の一端に連結される第２コネクタ１０２１とを含み、マイクロ制御ユニット１０２５はコードを処理し、ＡＶケーブル１０１の他端に連結されているＡＶ制御装置１０４へ伝送し、ＡＶ制御装置１０４はコードに基づいて、ビデオウォールのディスプレイ１０３へ伝送すべく、対応する映像信号を割り当てる。【選択図】図３
2018013752.tif 000002
【特許請求の範囲】
【請求項１】
ビデオウォールを迅速に取り付けるためのビデオアダプタであって、
マイクロ制御ユニット、
当該マイクロ制御ユニットに連結されて、ビデオウォールにおける各ディスプレイのコードを設定するとともに、当該マイクロ制御ユニットへ伝送するコード生成ユニット、
当該ディスプレイに連結される第１コネクタ、及び
ＡＶケーブルの一端に連結される第２コネクタ、を含み、
当該マイクロ制御ユニットは当該コードを処理し、当該ＡＶケーブルの他端に連結されているＡＶ制御装置へ伝送し、
当該ＡＶ制御装置は当該コードに基づいて、当該ビデオウォールの当該ディスプレイへ伝送すべく、対応する映像信号を割り当てるビデオアダプタ。
【請求項２】
当該マイクロ制御ユニットは、当該ＡＶケーブルを介して、当該コードを低速信号として当該ＡＶ制御装置へ伝送する請求項１記載のビデオウォールを迅速に取り付けるためのビデオアダプタ。
【請求項３】
第１ローパスフィルタを更に含み、当該第１ローパスフィルタは、第１ＡＶ伝送信号線及び当該マイクロ制御ユニットに連結されて、当該第１ＡＶ伝送信号線上の高速信号が当該マイクロ制御ユニットに入らないよう防止する請求項２記載のビデオウォールを迅速に取り付けるためのビデオアダプタ。
【請求項４】
当該ＡＶ制御装置は、プログラマブルチップと、当該プログラマブルチップに連結される第２ＡＶ伝送信号線を含み、当該プログラマブルチップは出入力ユニットを含み、当該ＡＶ制御装置は第２ローパスフィルタを更に含み、当該第２ローパスフィルタは、当該出入力ユニット及び当該第２ＡＶ伝送信号線に連結されて、当該高速信号が当該出入力ユニットに入らないよう防止し、当該出入力ユニットは当該低速信号を受信する請求項３記載のビデオウォールを迅速に取り付けるためのビデオアダプタ。
【請求項５】
第１ハイパスフィルタを更に含み、当該第１ハイパスフィルタは当該第１ＡＶ伝送信号線に設けられて、当該低速信号が当該ディスプレイに入らないよう防止する請求項３記載のビデオウォールを迅速に取り付けるためのビデオアダプタ。
【請求項６】
当該ＡＶ制御装置は第２ハイパスフィルタを更に含み、当該第２ハイパスフィルタは当該第２ＡＶ伝送信号線に設けられて、当該低速信号が当該プログラマブルチップにおけるＡＶユニットに入らないよう防止する請求項４記載のビデオウォールを迅速に取り付けるためのビデオアダプタ。
【請求項７】
ビデオウォールを迅速に取り付けるためのビデオアダプタであって、
マイクロ制御ユニット、
当該マイクロ制御ユニットに連結されて、ビデオウォールにおける各ディスプレイのコードを設定するとともに、当該マイクロ制御ユニットへ伝送するコード生成ユニット、
当該ディスプレイに連結される第１コネクタ、
ＡＶケーブルの一端に連結される第２コネクタ、及び
当該マイクロ制御ユニットに連結される第１ホットスワップ検出信号線、を含み、
当該マイクロ制御ユニットは、当該第１ホットスワップ検出信号線のレベルを判断し、当該レベルに基づいて当該コードを処理するとともに、当該コードを当該ＡＶケーブルの他端に連結されているＡＶ制御装置へ伝送し、
当該ＡＶ制御装置は当該コードに基づいて、当該ビデオウォールの当該ディスプレイへ伝送すべく、対応する映像信号を割り当てるビデオアダプタ。
【請求項８】
当該マイクロ制御ユニットに連結される第１制御信号線を更に含み、当該マイクロ制御ユニットは、当該第１制御信号線を介して、当該コードを低速信号として当該ＡＶ制御装置へ伝送する請求項７記載のビデオウォールを迅速に取り付けるためのビデオアダプタ。
【請求項９】
当該ＡＶ制御装置は、プログラマブルチップ、第２ホットスワップ検出信号線、第２制御信号線及び切替器を含み、当該プログラマブルチップは出入力ユニットを含み、当該第２ホットスワップ検出信号線におけるホットスワップ検出信号が低レベルの場合、当該切替器は当該第２制御信号線を当該出入力ユニットに切り替えて、当該低速信号を当該出入力ユニットへ伝送する請求項８記載のビデオウォールを迅速に取り付けるためのビデオアダプタ。
【請求項１０】
当該プログラマブルチップは制御信号ユニットを更に含み、当該制御信号ユニットは当該切替器に連結され、当該第２ホットスワップ検出信号線におけるホットスワップ検出信号が高レベルの場合、当該切替器は当該第２制御信号線を当該制御信号ユニットに切り替える請求項９記載のビデオウォールを迅速に取り付けるためのビデオアダプタ。
【請求項１１】
当該マイクロ制御ユニットは、当該第１ホットスワップ検出信号線のレベルが低レベルであると判断した場合、当該コードを処理するとともに、当該コードを当該ＡＶケーブルの他端に連結されている当該ＡＶ制御装置へ伝送する請求項７記載のビデオウォールを迅速に取り付けるためのビデオアダプタ。
【請求項１２】
当該マイクロ制御ユニットに連結される第１補助チャネル信号線を更に含み、当該マイクロ制御ユニットは、当該第１補助チャネル信号線を介して当該コードを低速信号として当該ＡＶ制御装置へ伝送する請求項７記載のビデオウォールを迅速に取り付けるためのビデオアダプタ。
【請求項１３】
当該ＡＶ制御装置は、プログラマブルチップ、第２ホットスワップ検出信号線、第２補助チャネル信号線及び切替器を含み、当該プログラマブルチップは出入力ユニットを含み、当該第２ホットスワップ検出信号線におけるホットスワップ検出信号が低レベルの場合、当該切替器は当該第２補助チャネル信号線を当該出入力ユニットに切り替えて、当該低速信号を当該出入力ユニットへ伝送する請求項１２記載のビデオウォールを迅速に取り付けるためのビデオアダプタ。
【請求項１４】
当該プログラマブルチップは補助チャネル信号ユニットを更に含み、当該補助チャネル信号ユニットは当該切替器に連結され、当該第２ホットスワップ検出信号線におけるホットスワップ検出信号が高レベルの場合、当該切替器は当該第２補助チャネル信号線を当該補助チャネル信号ユニットに切り替える請求項１３記載のビデオウォールを迅速に取り付けるためのビデオアダプタ。
【請求項１５】
当該コード生成ユニットは、ディップスイッチである請求項１又は７記載のビデオウォールを迅速に取り付けるためのビデオアダプタ。
【請求項１６】
当該コード生成ユニットは、当該コードを蓄積するためのＭＡＣアドレスチップであり、当該コードはＭＡＣアドレスである請求項１又は７記載のビデオウォールを迅速に取り付けるためのビデオアダプタ。
【請求項１７】
ビデオウォールを迅速に取り付けるための方法であって、
コード生成ユニットを設定してコードを生成するとともに、当該コードをマイクロ制御ユニットへ伝送し、当該コードがビデオウォールにおける各ディスプレイのコードであり、
当該マイクロ制御ユニットによって当該コードを処理し、当該コードをＡＶ制御装置へ伝送し、
当該ＡＶ制御装置は当該コードに基づいて、当該ビデオウォールの当該ディスプレイへ伝送すべく、対応する映像信号を割り当てる方法。
【請求項１８】
当該マイクロ制御ユニットによって当該コードを処理し、当該コードを当該ＡＶ制御装置へ伝送するステップの前に、更に、当該マイクロ制御ユニットによりホットスワップ検出信号のレベルを判断する請求項１７記載のビデオウォールを迅速に取り付けるための方法。
【請求項１９】
当該ビデオウォールは複数の当該ディスプレイを含み、複数の当該ディスプレイは特定の順序に従うことなく当該ＡＶ制御装置へ接続可能である請求項１７記載のビデオウォールを迅速に取り付けるための方法。
【請求項２０】
当該ＡＶ制御装置への当該コードの伝送は、ＡＶケーブルにおけるＡＶ伝送信号線、制御信号線又は補助チャネル信号線を介する請求項１７記載のビデオウォールを迅速に取り付けるための方法。
【発明の詳細な説明】
【技術分野】
【０００１】
本発明はビデオアダプタに関し、特に、ビデオウォールを迅速に取り付けるためのビデオアダプタ及びその方法に関する。
【背景技術】
【０００２】
昨今、ビデオウォール又はテレビウォールが、広告看板、コンサート、電子看板といった異なる状況に幅広く利用されている。しかし、テレビウォール又はビデオウォールは、通常複数のディスプレイを組み合わせてなるため、複数のディスプレイとビデオ切替器との間のケーブルも相当な数にのぼる。テレビウォール又はビデオウォールとビデオ切替器との間のケーブルを再接続する必要がある場合、ケーブルが膨大な数にのぼることから配線順が混乱しやすいほか、使用者はタグシール等で各ケーブルの順序を明記しておかねばならないため、再接続するだけにも拘わらず大仕事となってしまう。また、配線を１本でも間違うと、正しい順序を探るために多大な時間を費やさねばならなくなる。
【０００３】
更に、一般消費者が多くのＡＶソース機器をビデオ切替器に接続する場合、いくつかのＡＶソース機器の配線順を変更してしまうと、消費者はテレビにおける別のビデオ端子に表示される新たな信号の順序に改めて適応し直さねばならない。以上が、ビデオウォールとビデオ切替器との配線か、ビデオ切替器と複数のＡＶソース機器との配線かに拘わらず、使用者を長年にわたり悩ませている課題である。
【０００４】
そこで、現在、前記ビデオウォールとビデオ切替器との配線における課題、又はビデオ切替器と複数のＡＶソース機器との配線における課題を解決可能な技術方案が必要とされている。
【発明の概要】
【発明が解決しようとする課題】
【０００５】
前記ビデオウォールとビデオ切替器との配線における課題、又は、ビデオ切替器と複数のＡＶソース機器との配線における課題を解消するために、本発明は、ビデオウォールを迅速に取り付けるためのビデオアダプタ及びその方法を提供する。
【課題を解決するための手段】
【０００６】
一の観点において、本発明は、ビデオウォールを迅速に取り付けるためのビデオアダプタであって、マイクロ制御ユニットと、前記マイクロ制御ユニットに連結されて、ビデオウォールにおける各ディスプレイのコードを設定するとともに、前記マイクロ制御ユニットへ伝送するコード生成ユニットと、前記ディスプレイに連結される第１コネクタと、ＡＶケーブルの一端に連結される第２コネクタとを含み、前記マイクロ制御ユニットは前記コードを処理し、前記ＡＶケーブルの他端に連結されているＡＶ制御装置へ伝送し、前記ＡＶ制御装置は前記コードに基づいて、前記ビデオウォールの前記ディスプレイへ伝送すべく、対応する映像信号を割り当てるビデオアダプタを開示する。
【０００７】
他の観点において、本発明は、ビデオウォールを迅速に取り付けるためのビデオアダプタであって、マイクロ制御ユニットと、前記マイクロ制御ユニットに連結されて、ビデオウォールにおける各ディスプレイのコードを設定するとともに、前記マイクロ制御ユニットへ伝送するコード生成ユニットと、前記ディスプレイに連結される第１コネクタと、ＡＶケーブルの一端に連結される第２コネクタと、前記マイクロ制御ユニットに連結される第１ホットスワップ検出信号線とを含み、前記マイクロ制御ユニットは、前記第１ホットスワップ検出信号線のレベルを判断し、前記レベルに基づいて前記コードを処理するとともに、前記コードを前記ＡＶケーブルの他端に連結されているＡＶ制御装置へ伝送し、前記ＡＶ制御装置は前記コードに基づいて、前記ビデオウォールにおける前記ディスプレイへ伝送すべく、対応する映像信号を割り当てるビデオアダプタを開示する。
【０００８】
更なる観点において、本発明は、ビデオウォールを迅速に取り付けるための方法であって、コード生成ユニットを設定してコードを生成するとともに、前記コードをマイクロ制御ユニットへ伝送し、前記コードがビデオウォールにおける各ディスプレイのコードであり、前記マイクロ制御ユニットによって前記コードを処理し、前記コードをＡＶ制御装置へ伝送し、前記ＡＶ制御装置は前記コードに基づいて、前記ビデオウォールの前記ディスプレイへ伝送すべく、対応する映像信号を割り当てる。
【発明の効果】
【０００９】
本発明の利点として、使用者は各ＡＶケーブルの順序をメモしたり、タグを用いてＡＶケーブルの順序を明記したりしなくても、各ＡＶケーブルを直接ＡＶ制御装置とビデオウォールにおけるディスプレイとの間、又は、ＡＶ制御装置とＡＶソース機器との間へ任意に接続可能である。
【００１０】
これらの利点及びのその他の利点について、読者は、以下の好ましい実施例の記載、後述の図面及び特許請求の範囲から本発明を明確に理解可能である。
【００１１】
前記デバイス及び本発明におけるその他の特徴と利点については、実施形態の内容及び図面を精読することでより明らかとなる。
【図面の簡単な説明】
【００１２】
【図１】図１は、本発明におけるビデオウォールを迅速に取り付けるためのビデオアダプタの使用事例を一実施例に基づき示したものである。
【図２】図２は、本発明におけるビデオウォールを迅速に取り付けるためのビデオアダプタの使用事例を一実施例に基づき示したものである。
【図３】図３は、本発明におけるビデオウォールを迅速に取り付けるためのビデオアダプタを一実施例に基づき示したブロック図である。
【図４】図４は、本発明におけるビデオウォールを迅速に取り付けるためのビデオアダプタをその他の実施例に基づき示したブロック図である。
【図５】図５は、本発明におけるビデオウォールを迅速に取り付けるためのビデオアダプタを更なる実施例に基づき示したブロック図である。
【図６】図６は、本発明におけるビデオウォールを迅速に取り付けるための方法を更に別の実施例に基づき示したフローチャートである。
【図７】図７は、本発明におけるビデオウォールを迅速に取り付けるためのビデオアダプタの使用事例をその他の実施例に基づき示したものである。
【発明を実施するための形態】
【００１３】
ここで、本発明では、具体的実施例とその観点につき詳述する。なお、これらの記載は本発明の構造又はステップを解説するものであり、説明のためのものであって本発明の特許請求の範囲を限定するものではない。よって、本発明は、明細書における具体的実施例と好ましい実施例のほか、その他の異なる実施例においても幅広く実施可能である。
【００１４】
本発明は、ビデオウォールを迅速に取り付けるためのビデオアダプタ及びその方法を提供する。図１を参照して、本発明のビデオアダプタを利用すれば、ビデオウォールの各ディスプレイ１０３はＡＶケーブル１０１を介して任意にＡＶ制御装置１０４に接続可能であり、決まった順序でＡＶ制御装置１０４に接続する必要はない。これにより、使用者は各ＡＶケーブル１０１の順序をメモしたり、タグを用いてＡＶケーブル１０１の順序を明記したりせずともよく、各ＡＶケーブル１０１を直接ＡＶ制御装置１０４へ任意に接続可能である。図２を参照して、上述したように、使用者は各ＡＶケーブル１０１を任意にＡＶ制御装置１０４に接続可能である。図２に示すように、使用者が各ＡＶケーブル１０１を任意にＡＶ制御装置１０４へ接続したとしても、ＡＶ制御装置１０４は、ビデオアダプタから転送されるコードに基づいて、サブ画面に対応する正しい映像信号を割り当て可能である。図２において、右側に示されるのは各サブ画面とそのコードである。例えば、左上角のコード１のディスプレイはＡＶ制御装置１０４の接続ポート３に接続され、ＡＶ制御装置１０４は、接続ポート３からコード１のディスプレイが表示すべき映像を出力するよう制御する。一実施例において、前記ＡＶケーブル１０１は、高精細度マルチメディアインターフェース（ＨＤＭＩ，ｈｉｇｈ  ｄｅｆｉｎｉｔｉｏｎ  ｍｕｌｔｉｍｅｄｉａ  ｉｎｔｅｒｆａｃｅ）ケーブル、又はデジタルビジュアルインターフェース（ＤＶＩ，ｄｉｇｉｔａｌ  ｖｉｄｅｏ  ｉｎｔｅｒｆａｃｅ）ケーブルを含むが、これらに限らない。
【００１５】
図３は、本発明におけるビデオウォールを迅速に取り付けるためのビデオアダプタを一実施例に基づき示したブロック図である。図３に示すように、本発明におけるビデオウォールを迅速に取り付けるためのビデオアダプタ１０２は、第１コネクタ１０２２、第２コネクタ１０２１、マイクロ制御ユニット１０２５、コード生成ユニット１０２６、ハイパスフィルタ１０２７及びローパスフィルタ１０２８を含む。第１コネクタ１０２２は、ディスプレイ１０３のポートに連結される。第２コネクタ１０２１は、ＡＶケーブル１０１の一端に連結される。一実施例において、第１コネクタ１０２２及び第２コネクタ１０２１としては、ＨＤＭＩ規格又はＤＶＩ規格に適合するコネクタが可能であるが、これらに限らない。ビデオウォールを迅速に取り付けるためのビデオアダプタ１０２は、電力線１０２３及びＡＶ伝送信号線１０２４を更に含む。電力線１０２３はＡＶケーブル１０１における電力線に連結され、ＡＶ伝送信号線１０２４はＡＶケーブル１０１におけるＡＶ伝送信号線に連結される。マイクロ制御ユニット１０２５は電力線１０２３に連結され、電力線１０２３からマイクロ制御ユニット１０２５に電気が供給される。このほか、一実施例において、ローパスフィルタ１０２８はマイクロ制御ユニット１０２５及びＡＶ伝送信号線１０２４にそれぞれ連結されて、ＡＶ伝送信号線１０２４の高速信号がマイクロ制御ユニット１０２５に入らないよう防止する。一実施例において、前記高速信号はＴＭＤＳ（Ｔｒａｎｓｉｔｉｏｎ  Ｍｉｎｉｍｉｚｅｄ Ｄｉｆｆｅｒｅｎｔｉａｌ  Ｓｉｇｎａｌｉｎｇ，遷移最小化差動信号）信号を含んでもよいが、これに限らない。一実施例において、ハイパスフィルタ１０２７はＡＶ伝送信号線１０２４に設けられ、低速信号がディスプレイ１０３に入らないよう防止する。
【００１６】
コード生成ユニット１０２６は、マイクロ制御ユニット１０２５に連結される。コード生成ユニット１０２６は、ビデオウォールにおける各ディスプレイのコードを設定し、コードをマイクロ制御ユニット１０２５へ伝送する。一実施例において、マイクロ制御ユニット１０２５は当該コードを処理し、ＡＶ伝送信号線１０２４を介して、コードを低速信号としてＡＶケーブル１０１の他端に連結されているＡＶ制御装置１０４へ伝送する。ここで、前記低速信号は、ローパスフィルタ１０２８を介してＡＶ伝送信号線１０２４にマウントされて伝送される。ＡＶ制御装置１０４は当該コードに基づいて、ビデオウォールのディスプレイ１０３へ伝送すべく、サブ画面に対応する映像信号を割り当てる。一実施例において、コード生成ユニット１０２６としては、ディップスイッチ又はＭＡＣアドレス（ＭＡＣ ａｄｄｒｅｓｓ）チップが可能であるが、これらに限らない。ディップスイッチは、ディスプレイのコードを生成するよう使用者により設定可能である。ＭＡＣアドレスチップは、ＭＡＣアドレスを事前にプログラム及び蓄積可能である。コード生成ユニット１０２６がＭＡＣアドレスチップである場合、マイクロ制御ユニット１０２５から伝送されるものはＭＡＣアドレスとされる。これにより、ＡＶ制御装置１０４はＭＡＣアドレスを受信すると、まずＭＡＣアドレスをディスプレイのコードに対応させてから、対応する映像信号を割り当てる。一実施例において、前記ディスプレイのコード順は、ビデオウォールにおける各サブ画面の映像信号のコード順と一致している。図３の上図では、低速信号を例えばＴＭＤＳのような差動信号としてＡＶ伝送信号線１０２４にマウントする必要がある。そのため、差動の対称性を維持すべく、２つの低速信号をそれぞれ２本のＴＭＤＳ＋及びＴＭＤＳ−の信号にマウントさせねばならない。これに対し、図３の下図では一方の低速信号を捕捉すれば差動特性には影響しないため、例えばＴＭＤＳ＋又はＴＭＤＳ−の信号というように一方のみを取得すればよい。これより、図３の上図では２つのローパスフィルタを設けねばならないのに対し、図３の下図ではローパスフィルタは１つ設けるだけでよい。なお、例えば２つの低速信号、２本のＴＭＤＳ＋及びＴＭＤＳ−信号、１つのローパスフィルタ、２つのローパスフィルタ、又は図３に示す２本のＡＶ伝送信号線１０２４といった上記の数は、本発明の一例を説明するためのものにすぎず、本発明の範囲を限定するものではない。
【００１７】
図３に示すように、一実施例において、ＡＶ制御装置１０４には、ＡＶ伝送信号線１０４１、プログラマブルチップ１０４２、ハイパスフィルタ１０４５及びローパスフィルタ１０４６が含まれる。プログラマブルチップ１０４２には、ＡＶユニット１０４３及び出入力ユニット１０４４が含まれる。一実施例において、プログラマブルチップ１０４２はＦＰＧＡ（フィールドプログラマブルゲートアレイ，ｆｉｅｌｄ−ｐｒｏｇｒａｍｍａｂｌｅ  ｇａｔｅ  ａｒｒａｙ）を含むがこれに限らない。一実施例において、出入力ユニット１０４４はＧＰＩＯ（汎用入出力，ｇｅｎｅｒａｌ−ｐｕｒｐｏｓｅ  ｉｎｐｕｔ／ｏｕｔｐｕｔ）を含むがこれに限らない。ＡＶ伝送信号線１０４１の一端は、ＡＶケーブル１０１におけるＡＶ伝送信号線に連結される。また、ＡＶ伝送信号線１０４１の他端は、プログラマブルチップ１０４２におけるＡＶユニット１０４３に連結される。ハイパスフィルタ１０４５はＡＶ伝送信号線１０４１に設けられて、低速信号がプログラマブルチップ１０４２におけるＡＶユニット１０４３に入らないよう防止する。これにより、ＡＶユニット１０４３は高速信号を受信する。高速信号は例えばＴＭＤＳ信号であるが、これに限らない。ローパスフィルタ１０４６は、ＡＶ伝送信号線１０４１のうちの一方と、プログラマブルチップ１０４２における出入力ユニット１０４４に連結されて、高速信号が出入力ユニット１０４４に入らないよう防止する。これにより、出入力ユニット１０４４は前記低速信号を受信する。ＡＶ制御装置１０４における出入力ユニット１０４４は、低速信号における当該コードに基づいて、ビデオウォールのディスプレイ１０３へ伝送すべく、サブ画面に対応する映像信号を割り当てる。
【００１８】
図４は、本発明におけるビデオウォールを迅速に取り付けるためのビデオアダプタをその他の実施例に基づき示したブロック図である。図４に示すように、本発明におけるビデオウォールを迅速に取り付けるためのビデオアダプタ１０２’は、第１コネクタ１０２２’、第２コネクタ１０２１’、マイクロ制御ユニット１０２５’、コード生成ユニット１０２６’を含む。第１コネクタ１０２２’は、ディスプレイ１０３のポートに連結される。第２コネクタ１０２１’は、ＡＶケーブル１０１の一端に連結される。ビデオウォールを迅速に取り付けるためのビデオアダプタ１０２’は、電力線１０２３’、ホットスワップ検出信号線１０２４’及び制御信号線１０２７’を更に含む。電力線１０２３’はＡＶケーブル１０１における電力線に連結され、ホットスワップ検出信号線１０２４’はＡＶケーブル１０１におけるホットスワップ検出信号線に連結され、制御信号線１０２７’はＡＶケーブル１０１における制御信号線に連結される。マイクロ制御ユニット１０２５’は、電力線１０２３’、ホットスワップ検出信号線１０２４’及び制御信号線１０２７’にそれぞれ連結され、電力線１０２３’によってマイクロ制御ユニット１０２５’に電気が供給される。
【００１９】
コード生成ユニット１０２６’は、マイクロ制御ユニット１０２５’に連結される。コード生成ユニット１０２６’は、ビデオウォールにおける各ディスプレイのコードを設定し、コードをマイクロ制御ユニット１０２５’へ伝送する。一実施例において、マイクロ制御ユニット１０２５’はホットスワップ検出信号線１０２４’のレベルを判断し、当該レベルに基づいて当該コードを処理する。そして、制御信号線１０２７’を介して、コードを低速信号としてＡＶケーブル１０１の他端に連結されているＡＶ制御装置１０４’へ伝送する。ここで、前記低速信号は、制御信号線１０２７’にマウントされて伝送される。好ましい実施例において、マイクロ制御ユニット１０２５’はホットスワップ検出信号線１０２４’のレベルが低レベルであると判断した場合、当該コードを処理するとともに、制御信号線１０２７’を介して、コードを低速信号としてＡＶケーブル１０１の他端に連結されているＡＶ制御装置１０４’へ伝送する。ＡＶ制御装置１０４’は当該コードに基づいて、ビデオウォールのディスプレイ１０３へ伝送すべく、サブ画面に対応する映像信号を割り当てる。一実施例において、コード生成ユニット１０２６’としては、ディップスイッチ又はＭＡＣアドレス（ＭＡＣ ａｄｄｒｅｓｓ）チップが可能であるが、これらに限らない。ディップスイッチは、ディスプレイのコードを生成するよう使用者により設定可能である。ＭＡＣアドレスチップは、ＭＡＣアドレスを事前にプログラム及び蓄積可能である。コード生成ユニット１０２６’がＭＡＣアドレスチップである場合、マイクロ制御ユニット１０２５’から伝送されるものはＭＡＣアドレスとされる。これにより、ＡＶ制御装置１０４’はＭＡＣアドレスを受信すると、まずＭＡＣアドレスをディスプレイのコードに対応させてから、対応する映像信号を割り当てる。一実施例において、図１及び図２に示すように、前記ディスプレイのコード順は、ビデオウォールにおける各サブ画面の映像信号のコード順と一致している。
【００２０】
図４に示すように、一実施例において、ＡＶ制御装置１０４’には、ホットスワップ検出信号線１０４１’、制御信号線１０４５’、プログラマブルチップ１０４２’及び切替器１０４６’が含まれる。プログラマブルチップ１０４２’には、制御信号ユニット１０４３’及び出入力ユニット１０４４’が含まれる。一実施例において、プログラマブルチップ１０４２’はＦＰＧＡ（フィールドプログラマブルゲートアレイ，ｆｉｅｌｄ−ｐｒｏｇｒａｍｍａｂｌｅ  ｇａｔｅ  ａｒｒａｙ）を含むがこれに限らない。一実施例において、出入力ユニット１０４４’はＧＰＩＯ（汎用入出力，ｇｅｎｅｒａｌ−ｐｕｒｐｏｓｅ  ｉｎｐｕｔ／ｏｕｔｐｕｔ）を含むがこれに限らない。一実施例において、切替器１０４６’としては１入力２出力の切替器が可能であるがこれに限らない。制御信号線１０４５’は切替器１０４６’の入力端に連結される。制御信号ユニット１０４３’及び出入力ユニット１０４４’は、それぞれ切替器１０４６’の出力端に連結される。また、ホットスワップ検出信号線１０４１’におけるホットスワップ検出信号はトリガー信号である。ホットスワップ検出信号線１０４１’におけるホットスワップ検出信号が低レベルの場合、切替器１０４６’は制御信号線１０４５’を出入力ユニット１０４４’に切り替えて、低速信号を出入力ユニット１０４４’へ伝送する。ホットスワップ検出信号線１０４１’におけるホットスワップ検出信号が高レベルの場合、切替器１０４６’は制御信号線１０４５’を制御信号ユニット１０４３’に切り替えて、制御信号を制御信号ユニット１０４３’へ伝送する。一実施例において、前記制御信号としてはＣＥＣ（ｃｏｎｓｕｍｅｒ ｅｌｅｃｔｒｏｎｉｃｓ  ｃｏｎｔｒｏｌ，消費型電子制御）信号が可能であるが、これに限らない。ＡＶ制御装置１０４’における出入力ユニット１０４４’は、低速信号における当該コードに基づいて、ビデオウォールのディスプレイ１０３へ伝送すべく、サブ画面に対応する映像信号を割り当てる。
【００２１】
図５は、本発明におけるビデオウォールを迅速に取り付けるためのビデオアダプタを更なる実施例に基づき示したブロック図である。図５に示すように、本発明におけるビデオウォールを迅速に取り付けるためのビデオアダプタ１０２’’は、第１コネクタ１０２２’’、第２コネクタ１０２１’’、マイクロ制御ユニット１０２５’’、コード生成ユニット１０２６’’を含む。第１コネクタ１０２２’’は、ディスプレイ１０３のポートに連結される。第２コネクタ１０２１’’は、ＡＶケーブル１０１’の一端に連結される。一実施例において、前記ＡＶケーブル１０１’はディスプレイポート（Ｄｉｓｐｌａｙ  Ｐｏｒｔ，ＤＰ）ケーブルを含むがこれに限らない。一実施例において、第１コネクタ１０２２’’及び第２コネクタ１０２１’’としては、ＤＰ規格に適合するコネクタが可能であるが、これらに限らない。ビデオウォールを迅速に取り付けるためのビデオアダプタ１０２’’は、電力線１０２３’’、ホットスワップ検出信号線１０２４’’及び補助チャネル信号線１０２７’’を更に含む。電力線１０２３’’はＡＶケーブル１０１’における電力線に連結され、ホットスワップ検出信号線１０２４’’はＡＶケーブル１０１’におけるホットスワップ検出信号線に連結され、補助チャネル信号線１０２７’’はＡＶケーブル１０１’における補助チャネル信号線に連結される。マイクロ制御ユニット１０２５’’は、電力線１０２３’’、ホットスワップ検出信号線１０２４’’及び補助チャネル信号線１０２７’’にそれぞれ連結され、電力線１０２３’’によってマイクロ制御ユニット１０２５’’に電気が供給される。
【００２２】
コード生成ユニット１０２６’’は、マイクロ制御ユニット１０２５’’に連結される。コード生成ユニット１０２６’’は、ビデオウォールにおける各ディスプレイのコードを設定し、コードをマイクロ制御ユニット１０２５’’へ伝送する。一実施例において、マイクロ制御ユニット１０２５’’はホットスワップ検出信号線１０２４’’のレベルを判断し、当該レベルに基づいて当該コードを処理する。そして、補助チャネル信号線１０２７’’を介して、コードを低速信号としてＡＶケーブル１０１’の他端に連結されているＡＶ制御装置１０４’’へ伝送する。ここで、前記低速信号は、補助チャネル信号線１０２７’’にマウントされて伝送される。好ましい実施例において、マイクロ制御ユニット１０２５’’はホットスワップ検出信号線１０２４’’のレベルが低レベルであると判断した場合、当該コードを処理するとともに、補助チャネル信号線１０２７’’を介して、コードを低速信号としてＡＶケーブル１０１’の他端に連結されているＡＶ制御装置１０４’’へ伝送する。ＡＶ制御装置１０４’’は当該コードに基づいて、ビデオウォールのディスプレイ１０３へ伝送すべく、サブ画面に対応する映像信号を割り当てる。一実施例において、コード生成ユニット１０２６’’としては、ディップスイッチ又はＭＡＣアドレス（ＭＡＣ ａｄｄｒｅｓｓ）チップが可能であるが、これらに限らない。ディップスイッチは、ディスプレイのコードを生成するよう使用者により設定可能である。ＭＡＣアドレスチップは、ＭＡＣアドレスを事前にプログラム及び蓄積可能である。コード生成ユニット１０２６’’がＭＡＣアドレスチップである場合、マイクロ制御ユニット１０２５’’から伝送されるものはＭＡＣアドレスとされる。これにより、ＡＶ制御装置１０４’’はＭＡＣアドレスを受信すると、まずＭＡＣアドレスをディスプレイのコードに対応させてから、対応する映像信号を割り当てる。一実施例において、前記ディスプレイのコード順は、ビデオウォールにおける各サブ画面の映像信号のコード順と一致している。
【００２３】
図５に示すように、一実施例において、ＡＶ制御装置１０４’’には、ホットスワップ検出信号線１０４１’’、補助チャネル信号線１０４５’’、プログラマブルチップ１０４２’’及び切替器１０４６’’が含まれる。プログラマブルチップ１０４２’’には、補助チャネル信号ユニット１０４３’’及び出入力ユニット１０４４’’が含まれる。一実施例において、プログラマブルチップ１０４２’’はＦＰＧＡ（フィールドプログラマブルゲートアレイ，ｆｉｅｌｄ−ｐｒｏｇｒａｍｍａｂｌｅ  ｇａｔｅ  ａｒｒａｙ）を含むがこれに限らない。一実施例において、出入力ユニット１０４４’’はＧＰＩＯ（汎用入出力，ｇｅｎｅｒａｌ−ｐｕｒｐｏｓｅ  ｉｎｐｕｔ／ｏｕｔｐｕｔ）を含むがこれに限らない。一実施例において、切替器１０４６’’としては１入力２出力の切替器が可能であるがこれに限らない。補助チャネル信号線１０４５’’は切替器１０４６’’の入力端に連結される。補助チャネル信号ユニット１０４３’’及び出入力ユニット１０４４’’は、切替器１０４６’’の出力端にそれぞれ連結される。また、ホットスワップ検出信号線１０４１’’におけるホットスワップ検出信号はトリガー信号である。ホットスワップ検出信号線１０４１’’におけるホットスワップ検出信号が低レベルの場合、切替器１０４６’’は補助チャネル信号線１０４５’’を出入力ユニット１０４４’’に切り替えて、低速信号を出入力ユニット１０４４’’へ伝送する。ホットスワップ検出信号線１０４１’’におけるホットスワップ検出信号が高レベルの場合、切替器１０４６’’は補助チャネル信号線１０４５’’を補助チャネル信号ユニット１０４３’’に切り替えて、補助チャネル信号を補助チャネル信号ユニット１０４３’’へ伝送する。一実施例において、前記補助チャネル信号としてはＡＵＸ（ａｕｘｉｌｉａｒｙ，補助）信号が可能であるが、これに限らない。ＡＶ制御装置１０４’’における出入力ユニット１０４４’’は、低速信号における当該コードに基づいて、ビデオウォールのディスプレイ１０３へ伝送すべく、サブ画面に対応する映像信号を割り当てる。
【００２４】
図６は、本発明におけるビデオウォールを迅速に取り付けるための方法を更に別の実施例に基づき示したフローチャートである。本発明のビデオウォールを迅速に取り付けるための方法６０は、コード生成ユニットを設定してコードを生成し、前記コードをマイクロ制御ユニットへ伝送するステップであって、前記コードがビデオウォールにおける各ディスプレイのコードであるステップ６０１を含む。一実施例において、本発明におけるビデオウォールを迅速に取り付けるための方法６０は、当該マイクロ制御ユニットによりホットスワップ検出信号のレベルを判断するステップ６０１ａを選択的に含んでもよい。ホットスワップ検出信号のレベルが低レベルの場合には、ステップ６０２に進む。続いて、ステップ６０２において、前記マイクロ制御ユニットによって前記コードを処理し、前記コードをＡＶ制御装置へ伝送する。その後、ステップ６０３において、前記ＡＶ制御装置は前記コードに基づいて、前記ビデオウォールの前記ディスプレイへ伝送すべく、対応する映像信号を割り当てる。
【００２５】
以上述べたように、本発明のビデオアダプタ及びその方法によれば、使用者は各ＡＶケーブル１０１，１０１’の順序をメモしたり、タグを用いてＡＶケーブル１０１，１０１’の順序を明記したりしなくても、各ＡＶケーブル１０１，１０１’を直接ＡＶ制御装置１０４とビデオウォールにおけるディスプレイ１０３の間へ任意に接続可能となる。同様に、図７に示すように、本発明のビデオアダプタとその方法は、ＡＶ制御装置とＡＶソース機器との間にも応用可能である。図７の上図は、使用者にとって習慣となっている接続順である。図７の下図は、本発明のビデオアダプタ及びその方法の使用後であり、ＡＶケーブルの接続順が変更されたとしても、使用者がＡＶソース機器の新たな位置に改めて適応する必要はない。この場合にも、ＡＶ制御装置はビデオアダプタから伝送されるＡＶソース機器のコードに基づいて、ＡＶソース機器から入力されるＡＶ信号を対応するディスプレイポートに分配し得る。本実施例において、ＡＶソース機器のコード順はディスプレイの各ポートのコード順と一致している。
【００２６】
以上、本発明の好ましい実施例について述べたが、当業者であれば、本発明が好ましい実施例に限定されないことを理解可能である。逆に、当業者であれば、以下に述べる特許請求の範囲で定義される本発明の精神及び範囲において、若干の修正及び追加を実施可能である。
【符号の説明】
【００２７】
１０１，１０１’  ＡＶケーブル
１０２，１０２’，１０２’’  ビデオウォールを迅速に取り付けるためのビデオアダプタ
１０２１，１０２１’，１０２１’’  第２コネクタ
１０２２，１０２２’，１０２２’’  第１コネクタ
１０２３，１０２３’，１０２３’’  電力線
１０２４  ＡＶ伝送信号線
１０２４’，１０２４’’  ホットスワップ検出信号線
１０２５，１０２５’，１０２５’’  マイクロ制御ユニット
１０２６，１０２６’，１０２６’’  コード生成ユニット
１０２７  ハイパスフィルタ
１０２７’  制御信号線
１０２７’’  補助チャネル信号線
１０２８  ローパスフィルタ
１０３  ディスプレイ
１０４，１０４’，１０４’’  ＡＶ制御装置
１０４１  ＡＶ伝送信号線
１０４１’，１０４１’’  ホットスワップ検出信号線
１０４２，１０４２’，１０４２’’  プログラマブルチップ
１０４３  ＡＶユニット
１０４３’  制御信号ユニット
１０４３’’  補助チャネル信号ユニット
１０４４，１０４４’，１０４４’’  出入力ユニット
１０４５  ハイパスフィルタ
１０４５’  制御信号線
１０４５’’  補助チャネル信号線
１０４６  ローパスフィルタ
１０４６’，１０４６’’  切替器
６０  ビデオウォールを迅速に取り付けるための方法
６０１，６０１ａ，６０２，６０３  ステップ
【図１】
2018013752.tif 000003
【図２】
2018013752.tif 000004
【図３】
2018013752.tif 000005
【図４】
2018013752.tif 000006
【図５】
2018013752.tif 000007
【図６】
2018013752.tif 000008
【図７】
2018013752.tif 000009